(57)【要約】【課題】ユーザにとって見やすい画面となるように容易に表示設定を切り替えることができる、表示装置、表示方法、及び表示プログラムを提供すること。【解決手段】表示装置１は、昼画面又は夜画面の表示設定に応じた表示を行うディスプレイ１０と、ユーザによる表示設定の切替が可能であることを示す切替表示をディスプレイ１０に表示させるための切替表示条件が満たされているか否かを判定する切替表示条件判定部１２ａと、ディスプレイ１０によって表示設定に応じた表示が行われているときに、切替表示条件判定部１２ａにより切替表示条件が満たされていると判定された場合、切替表示を当該ディスプレイ１０に表示させる表示制御部１２ｂとを備える。【選択図】図１
2012073359.tif 000002
【特許請求の範囲】
【請求項１】
昼画面又は夜画面の表示設定に応じた表示を行う表示手段と、
ユーザによる前記表示設定の切替が可能であることを示す切替表示を前記表示手段に表示させるための切替表示条件が満たされているか否かを判定する切替表示条件判定手段と、
前記表示手段によって前記表示設定に応じた表示が行われているときに、前記切替表示条件判定手段により前記切替表示条件が満たされていると判定された場合、前記切替表示を当該表示手段に表示させる表示制御手段と、
を備える表示装置。
【請求項２】
前記表示設定を切り替えるための表示設定切替条件に基づき、当該表示設定を自動で切り替える表示設定切替手段を備え、
前記切替表示条件判定手段は、前記表示設定切替手段により前記表示設定が切り替えられたときに、前記切替表示条件が満たされているか否かを判定する、
請求項１に記載の表示装置。
【請求項３】
前記切替表示条件判定手段は、当該表示装置が搭載されている車両の補助ランプが点灯されている場合、前記表示手段の近傍の照度が所定範囲である場合、又は、現在時刻が所定の時間帯に含まれる場合に、前記切替表示条件が満たされていると判定する、
請求項１又は２に記載の表示装置。
【請求項４】
前記表示制御手段は、前記切替表示条件判定手段により前記切替表示条件が満たされていると判定された場合、前記切替表示として、前記表示手段に表示されている画面の捲れを表した画像を当該表示手段に表示させると共に、当該画面の捲れにより現れる部分において現在の表示設定とは異なる表示設定に応じた表示を当該表示手段に行わせる、
請求項１から３のいずれか一項に記載の表示装置。
【請求項５】
前記表示制御手段は、前記画面の捲れを表した画像の形状を、前記表示手段の近傍の照度、又は時刻に応じて変化させる、
請求項４に記載の表示装置。
【請求項６】
前記表示手段の前面に重畳して設けられ、ユーザによる前記表示設定の切替操作を受け付けるタッチパネルを備え、
前記表示制御手段は、前記切替表示に対応する位置において前記タッチパネルが前記表示設定の切替操作を受け付けた場合、前記表示手段の表示設定を切り替える、
請求項１から５のいずれか一項に記載の表示装置。
【請求項７】
前記表示制御手段は、ユーザによる前記表示設定の切替が行われた場合、当該切替後の表示設定を記憶し、その後前記切替表示条件判定手段により前記切替表示条件が満たされていると判定された場合、当該記憶した表示設定に応じた表示を前記表示手段に行わせる、
請求項６に記載の表示装置。
【請求項８】
昼画面又は夜画面の表示設定に応じた表示を表示手段に行わせる表示ステップと、
ユーザによる前記表示設定の切替が可能であることを示す切替表示を前記表示手段に表示させるための切替表示条件が満たされているか否かを判定する切替表示条件判定ステップと、
前記表示ステップにおいて前記表示手段によって前記表示設定に応じた表示が行われているときに、前記切替表示条件判定ステップで前記切替表示条件が満たされていると判定された場合、前記切替表示を前記表示手段に表示させる表示制御ステップと、
を含む表示方法。
【請求項９】
請求項８に記載の方法をコンピュータに実行させる表示プログラム。
【発明の詳細な説明】
【技術分野】
【０００１】
本発明は、表示装置、表示方法、及び表示プログラムに関する。
【背景技術】
【０００２】
従来、カーナビゲーション装置におけるディスプレイや車載用テレビ等の車載表示装置が用いられている。この車載表示装置では、昼間の走行時のように周囲環境が明るい場合と、夜間やトンネル内の走行時のように周囲環境が暗い場合とで、表示画面の照度を変更したり表示色を変更することにより、画面の見易さを向上させている。
【０００３】
このような表示装置として、例えば、画面を昼用画面、夜用画面、又は薄暮用画面に自動的に切り替えて情報表示を行う車載情報表示装置が提案されている。この車載情報表示装置では、ライト点灯状態判定手段によって車両のヘッドライトとスモールランプとの点灯又は消灯の動作状態を判定し、その判定結果に基づき、ヘッドライトが点灯している時には夜用画面、ヘッドライトが消灯し、且つスモールランプが点灯している時には薄暮用画面、ヘッドライトとスモールランプとが共に消灯しているときには昼用画面に自動的に切り替えて情報表示を行う（例えば、特許文献１参照）。
【先行技術文献】
【特許文献】
【０００４】
【特許文献１】特開平１０−１４７１８７号公報
【発明の概要】
【発明が解決しようとする課題】
【０００５】
しかしながら、上述の如き従来の装置では、ライトの点灯状態に応じて画面の表示設定が自動的に切り替わってしまうため、例えば日中の悪天候時（例えば降雨時や霧発生時等）に安全のためにスモールランプを点灯した場合に、自動的に画面が夜用画面や薄暮用画面に切り替わってしまっていた。その結果、画面周囲の明るさが影響し、夜用画面や薄暮用画面ではユーザにとって画面が見にくい状態となる可能性があった。さらに、このような場合に画面の表示設定を変更するためには、例えば機能設定画面を深い階層下まで辿らなければならず、ユーザにとって見やすい画面となるように即座に表示設定を切り替えることが困難であった。
【０００６】
本発明は、上記に鑑みてなされたものであって、ユーザにとって見やすい画面となるように容易に表示設定を切り替えることができる、表示装置、表示方法、及び表示プログラムを提供することを目的とする。
【課題を解決するための手段】
【０００７】
上述した課題を解決し、目的を達成するために、請求項１に記載の表示装置は、昼画面又は夜画面の表示設定に応じた表示を行う表示手段と、ユーザによる前記表示設定の切替が可能であることを示す切替表示を前記表示手段に表示させるための切替表示条件が満たされているか否かを判定する切替表示条件判定手段と、前記表示手段によって前記表示設定に応じた表示が行われているときに、前記切替表示条件判定手段により前記切替表示条件が満たされていると判定された場合、前記切替表示を当該表示手段に表示させる表示制御手段と、を備える。
【０００８】
また、請求項２に記載の表示装置は、請求項１に記載の表示装置において、前記表示設定を切り替えるための表示設定切替条件に基づき、当該表示設定を自動で切り替える表示設定切替手段を備え、前記切替表示条件判定手段は、前記表示設定切替手段により前記表示設定が切り替えられたときに、前記切替表示条件が満たされているか否かを判定する。
【０００９】
また、請求項３に記載の表示装置は、請求項１又は２に記載の表示装置において、前記切替表示条件判定手段は、当該表示装置が搭載されている車両の補助ランプが点灯されている場合、前記表示手段の近傍の照度が所定範囲である場合、又は、現在時刻が所定の時間帯に含まれる場合に、前記切替表示条件が満たされていると判定する。
【００１０】
また、請求項４に記載の表示装置は、請求項１から３のいずれか一項に記載の表示装置において、前記表示制御手段は、前記切替表示条件判定手段により前記切替表示条件が満たされていると判定された場合、前記切替表示として、前記表示手段に表示されている画面の捲れを表した画像を当該表示手段に表示させると共に、当該画面の捲れにより現れる部分において現在の表示設定とは異なる表示設定に応じた表示を当該表示手段に行わせる。
【００１１】
また、請求項５に記載の表示装置は、請求項４に記載の表示装置において、前記表示制御手段は、前記画面の捲れを表した画像の形状を、前記表示手段の近傍の照度、又は時刻に応じて変化させる。
【００１２】
また、請求項６に記載の表示装置は、請求項１から５のいずれか一項に記載の表示装置において、前記表示手段の前面に重畳して設けられ、ユーザによる前記表示設定の切替操作を受け付けるタッチパネルを備え、前記表示制御手段は、前記切替表示に対応する位置において前記タッチパネルが前記表示設定の切替操作を受け付けた場合、前記表示手段の表示設定を切り替える。
【００１３】
また、請求項７に記載の表示装置は、請求項６に記載の表示装置において、前記表示制御手段は、ユーザによる前記表示設定の切替が行われた場合、当該切替後の表示設定を記憶し、その後前記切替表示条件判定手段により前記切替表示条件が満たされていると判定された場合、当該記憶した表示設定に応じた表示を前記表示手段に行わせる。
【００１４】
また、請求項８に記載の表示方法は、昼画面又は夜画面の表示設定に応じた表示を表示手段に行わせる表示ステップと、ユーザによる前記表示設定の切替が可能であることを示す切替表示を前記表示手段に表示させるための切替表示条件が満たされているか否かを判定する切替表示条件判定ステップと、前記表示ステップにおいて前記表示手段によって前記表示設定に応じた表示が行われているときに、前記切替表示条件判定ステップで前記切替表示条件が満たされていると判定された場合、前記切替表示を前記表示手段に表示させる表示制御ステップと、を含む。
【００１５】
また、請求項９に記載の表示プログラムは、請求項８に記載の方法をコンピュータに実行させる。
【発明の効果】
【００１６】
請求項１に記載の表示装置、請求項８に記載の表示方法、及び請求項９に記載の表示プログラムによれば、ユーザによる表示設定の切替が可能であることを示す切替表示を表示手段に表示させるための切替表示条件が満たされていると切替表示条件判定手段により判定された場合、表示制御手段はユーザによる表示設定の切替が可能であることを示す切替表示を当該表示手段に表示させるので、表示設定がユーザの希望ではないときに、表示設定が切替可能であることをユーザに容易に通知することができる。例えばスモールランプを点灯したために表示設定が「夜画面」となっているものの、周囲がまだ明るく、「昼画面」の表示設定の方がユーザにとって見やすいと考えられる場合等に、当該ユーザにとって見やすい画面となるように表示設定を切替可能であることをユーザに通知することができる。
【００１７】
また、請求項２に記載の表示装置によれば、切替表示条件判定手段は、表示設定切替手段により表示設定が切り替えられたときに、切替表示条件が満たされているか否かを判定するので、表示設定切替手段により自動で切り替えられた表示設定がユーザにとって見にくい可能性があり、ユーザによる表示設定の切替が可能であることを示す切替表示を表示手段に表示させる必要があるか否かを、表示設定が表示設定切替手段により切り替えられたタイミングで即座に判定することができる。
【００１８】
また、請求項３に記載の表示装置によれば、切替表示条件判定手段は、表示装置が搭載されている車両の補助ランプが点灯されている場合、表示手段の近傍の照度が所定範囲である場合、又は、現在時刻が所定の時間帯に含まれる場合に、切替表示条件が満たされていると判定するので、表示設定切替手段により表示設定が「夜画面」に自動的に切り替えられる条件ではあるものの、まだ薄暗い程度の状態であり、「昼画面」の表示設定の方がユーザにとって見やすい可能性がある場合に、当該ユーザにとって見やすい画面となるように表示設定を切替可能であることをユーザに通知することができる。
【００１９】
また、請求項４に記載の表示装置によれば、表示制御手段は、切替表示条件判定手段により切替表示条件が満たされていると判定された場合、切替表示として、表示手段に表示されている画面の捲れを表した画像を当該表示手段に表示させると共に、当該画面の捲れにより現れる部分において現在の表示設定とは異なる表示設定に応じた表示を当該表示手段に行わせるので、表示設定を切替可能であることがユーザにとって直感的に把握可能な態様で、切替表示を表示手段に表示させることができる。
【００２０】
また、請求項５に記載の表示装置によれば、表示制御手段は、画面の捲れを表した画像の形状を、表示手段の近傍の照度、又は時刻に応じて変化させるので、表示設定を切替可能であることがユーザにとって一層直感的に把握可能な態様で、切替表示を表示手段に表示させることができる。
【００２１】
また、請求項６に記載の表示装置によれば、表示制御手段は、切替表示に対応する位置においてタッチパネルが表示設定の切替操作を受け付けた場合、表示手段の表示設定を切り替えるので、ユーザにとって直感的な操作を切替操作として受け付け、当該操作に基づいて表示設定を切り替えることができる。
【００２２】
また、請求項７に記載の表示装置によれば、表示制御手段は、ユーザによる表示設定の切替が行われた場合、当該切替操作の受付後の表示設定を記憶し、その後切替表示条件判定手段により切替表示条件が満たされていると判定された場合、当該記憶した表示設定に応じた表示を表示手段に行わせるので、表示設定の選択に関するユーザの傾向を学習し、ユーザに適した表示設定で表示手段の表示を行わせることができ、ユーザにとって一層操作負担の少ない表示装置を提供することができる。
【図面の簡単な説明】
【００２３】
【図１】本実施の形態に係る表示装置を例示するブロック図である。
【図２】切替表示条件テーブルに格納されている情報を例示した表である。
【図３】表示設定切替条件テーブルに格納されている情報を例示した表である。
【図４】表示制御処理のフローチャートである。
【図５】「夜画面」の表示設定に応じた表示を行っているディスプレイを例示した図である。
【図６】図５に示したディスプレイにおいて切替表示が表示された状態を例示した図である。
【図７】図６においてディスプレイに表示された画面の捲れを表した画像の形状を変化させた状態を例示した図である。
【図８】図６に示したディスプレイにおいて表示設定の切替操作をタッチパネルが受け付けた後のディスプレイを例示した図である。
【発明を実施するための形態】
【００２４】
以下、本発明に係る表示装置、表示方法、及び表示プログラムの各実施の形態について図面を参照しつつ詳細に説明する。ただし、これらの各実施の形態によって本発明が限定されるものではない。なお、以下の説明では、表示装置が車両に搭載されているものとする。
【００２５】
（構成）
最初に、実施の形態に係る表示装置の構成について説明する。図１は、本実施の形態に係る表示装置を例示するブロック図である。表示装置１は車両に搭載されており、図１に示すように、ディスプレイ１０、タッチパネル１１、制御部１２、及びデータ記録部１３を備えている。また、表示装置１には、灯火制御部２、現在位置検出処理部３、及び照度センサ４が接続されている。
【００２６】
（構成−表示装置−ディスプレイ）
ディスプレイ１０は、昼画面又は夜画面の表示設定に応じた表示を行う表示手段である。ここで、「昼画面」とは、昼間時間帯の表示に適した表示設定である。具体的には、昼画面の表示設定においては、例えばディスプレイ１０の輝度が夜画面と比較して高く設定されると共に、画面の配色が明るい配色（例えば明度が６０％以上の色を用いた配色）に設定される。また、「夜画面」とは、夜間時間帯の表示に適した表示設定である。具体的には、夜画面の表示設定においては、例えばディスプレイ１０の輝度が昼画面と比較して低く設定されると共に、画面の配色が暗い配色（例えば明度が３０％未満の色を用いた配色）に設定される。なお、このディスプレイ１０の具体的な構成は任意であり、公知の液晶ディスプレイや有機ＥＬディスプレイの如きフラットパネルディスプレイを使用することができる。
【００２７】
（構成−表示装置−タッチパネル）
タッチパネル１１は、ユーザの指等で押圧されることにより、当該ユーザによる表示設定の切替操作を含む各種操作を受け付けるものである。このタッチパネル１１は、透明又は半透明状に形成され、ディスプレイ１０の前面において当該ディスプレイ１０の表示面と重畳するように設けられている。このタッチパネル１１としては、例えば抵抗膜方式や静電容量方式等による操作位置検出手段を備えた公知のタッチパネルを使用することができる。
【００２８】
（構成−表示装置−制御部）
制御部１２は、表示装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態に係る表示プログラムは、任意の記録媒体又はネットワークを介して表示装置１にインストールされることで、制御部１２の各部を実質的に構成する。
【００２９】
この制御部１２は、機能概念的に、切替表示条件判定部１２ａ、表示制御部１２ｂ、及び表示設定切替部１２ｃを備えている。切替表示条件判定部１２ａは、ユーザによる表示設定の切替が可能であることを示す切替表示をディスプレイ１０に表示させるための切替表示条件が満たされているか否かを判定する切替表示条件判定手段である。表示制御部１２ｂは、ディスプレイ１０によって表示設定に応じた表示が行われているときに、切替表示条件判定部１２ａにより切替表示条件が満たされていると判定された場合、切替表示をディスプレイ１０に表示させる表示制御手段である。表示設定切替部１２ｃは、表示設定を切り替えるための表示設定切替条件に基づき、表示設定を自動で切り替える表示設定切替手段である。これらの制御部１２の各部によって実行される処理の詳細については後述する。
【００３０】
（構成−表示装置−データ記録部）
データ記録部１３は、表示装置１の動作に必要なプログラム及び各種のデータを記録する記録手段であり、例えば、外部記憶装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる。
【００３１】
このデータ記録部１３は、地図情報データベース１３ａ（以下、データベースをＤＢと略記する）、切替表示条件テーブル１３ｂ、及び表示設定切替条件テーブル１３ｃを備えている。
【００３２】
地図情報ＤＢ１３ａは、地図情報を格納する地図情報格納手段である。「地図情報」は、例えばリンクデータ（リンク番号、接続ノード番号、道路座標、道路種別、車線数、走行規制等）、ノードデータ（ノード番号、座標）、地物データ（信号機、道路標識、ガードレール、建物等）、各種施設や地点等を案内するための地点データ（各地点の名称、各地点の位置、各地点の種別等を相互に関連付けた情報を含む）、地形データ、地図をディスプレイ１０に表示するための地図表示データ等を含んで構成されている。
【００３３】
切替表示条件テーブル１３ｂは、切替表示条件判定部１２ａが切替表示条件が満たされているか否かを判定する際に参照するテーブルである。図２は切替表示条件テーブル１３ｂに格納されている情報を例示した表である。この図２に示すように、切替表示条件テーブル１３ｂには、項目「項目」及び「切替表示条件」に対応する情報が相互に関連付けて格納されている。項目「項目」に対応して格納される情報は、切替表示条件が満たされているか否かの判定対象となる項目を示す情報であり、図２では「ランプ」「照度」及び「現在時刻」が格納されている。項目「切替表示条件」に対応して格納される情報は、切替表示をディスプレイ１０に表示させるための切替表示条件を判定対象の項目毎に示す情報である。図２の例では、判定対象の項目「ランプ」については、車両の補助ランプ（スモールランプ及びフォグランプを含む）が点灯されている場合に切替表示条件が満たされることを示す「補助ランプ点灯」が格納されている。また、判定対象の項目「照度」については、照度センサ４にて検出された照度が薄明時の照度範囲である１ｌｕｘ以上５ｌｕｘ未満の場合に切替表示条件が満たされることを示す「１ｌｕｘ以上５ｌｕｘ未満」が格納されている。また、判定対象の項目「現在時刻」については、切替表示条件が満たされているか否かを切替表示条件判定部１２ａが判定する際の時刻が、日の出時刻の３０分前から３０分後の時間帯、又は日の入時刻の３０分前から３０分後の時間帯に含まれる場合に切替表示条件が満たされることを示す「日の出前３０分から日の出後３０分  又は  日の入前３０分から日の入後３０分」が格納されている。なお、この切替表示条件テーブル１３ｂを参照した切替表示条件判定部１２ａによる判定処理の詳細については後述する。
【００３４】
表示設定切替条件テーブル１３ｃは、表示設定を自動で切り替えるための表示設定切替条件を特定する情報を格納するテーブルである。図３は表示設定切替条件テーブル１３ｃに格納されている情報を例示した表である。この図３に示すように、表示設定切替条件テーブル１３ｃには、項目「項目」、「表示設定切替イベント」、「遷移後の状態」、及び「表示設定」に対応する情報が相互に関連付けて格納されている。項目「項目」に対応して格納される情報は、表示設定を自動で切り替えるトリガとなるイベント（以下、必要に応じて「表示設定切替イベント」と略記する）が発生したか否かの判定対象となる項目を示す情報であり、図３では「ランプ」「照度」及び「現在時刻」が格納されている。項目「表示設定切替イベント」に対応して格納される情報は、表示設定を自動で切り替えるトリガとなるイベントを判定対象の項目毎に示す情報である（図３では「ヘッドランプ又は補助ランプのＯＮ／ＯＦＦ」等）。項目「遷移後の状態」に対応して格納される情報は、表示設定切替イベントの発生により遷移した後の状態を判定対象の項目毎に示す情報である（図３では「ヘッドランプＯＮ」等）。項目「表示設定」に対応して格納される情報は、表示設定切替部１２ｃによる切り替え先とすべき表示設定を、表示設定切替イベントの発生により遷移した後の状態毎に示す情報である（図３では「夜画面」又は「昼画面」）。なお、この表示設定切替条件テーブル１３ｃに基づいて表示設定切替部１２ｃが表示設定を自動で切り替える処理の詳細については後述する。
【００３５】
（構成−灯火制御部）
灯火制御部２は、車両のランプスイッチ（図示省略）を介した操作入力や、照度センサ４から入力された照度の検出値等に基づき、ヘッドランプ、スモールランプ、フォグランプ、テールランプ等の各種ランプ（いずれも図示省略）を制御する。この灯火制御部２から、ヘッドランプ、スモールランプ、フォグランプ、テールランプ等の各種ランプの点灯状態を示す情報が表示装置１に入力される。
【００３６】
（構成−現在位置検出処理部）
現在位置検出処理部３は、表示装置１が搭載された車両の現在位置を検出する現在位置検出手段である。具体的には、現在位置検出処理部３は、ＧＰＳ、地磁気センサ、距離センサ、又はジャイロセンサ（いずれも図示省略）の少なくとも一つを有し、現在の車両の位置（座標）及び方位等を公知の方法にて検出し、当該検出結果を表示装置１に出力する。
【００３７】
（構成−照度センサ）
照度センサ４は、ディスプレイ１０の近傍の照度を検出し、その検出値を表示装置１及び灯火制御部２に出力するものであり、例えばディスプレイ１０の前面に入射する光の照度を検出可能なように当該ディスプレイ１０の周辺に設置される。なお、「ディスプレイ１０の近傍」には、ディスプレイ１０の前面に限らず、例えば車両のフロントウィンドウ上部やダッシュボード上等、表示装置１が搭載された車両において照度センサ４を設置可能な任意の位置が含まれるものとする。この照度センサ４としては、例えばフォトダイオードやフォトトランジスタを用いた公知の照度センサを用いることができる。
【００３８】
（処理−表示制御処理）
次に、このように構成された表示装置１によって実行される表示制御処理について説明する。図４は表示制御処理のフローチャートである（以下の各処理の説明ではステップを「Ｓ」と略記する）。この表示制御処理は、例えば、表示装置１に電源が投入された後、所定周期にて繰り返し実行される。
【００３９】
表示制御処理が開始されると、表示設定切替部１２ｃは、表示設定切替イベントが発生したか否かを判定する（ＳＡ１）。すなわち表示設定切替部１２ｃは、灯火制御部２、照度センサ４、及び内部時計（図示省略）から表示装置１に入力された情報を取得すると共に、図３に例示した表示設定切替条件テーブル１３ｃを参照し、いずれかの判定対象の項目で表示設定を自動で切り替えるトリガとなるイベントが発生したか否かを判定する。図３の例によれば、表示設定切替部１２ｃは、判定対象の項目「ランプ」については、灯火制御部２から入力された情報に基づき、車両のヘッドランプ又は補助ランプの点灯状態（ＯＮ又はＯＦＦ）が切り替えられたことを検出した場合に、表示設定切替イベントが発生したと判定する。また、判定対象の項目「照度」については、照度センサ４にて検出された照度が５ｌｕｘを跨いで変化した場合に、表示設定切替イベントが発生したと判定する。また、判定対象の項目「現在時刻」については、内部時計から入力された情報に基づき特定した現在時刻が日の入時刻又は日の出時刻になった場合に、表示設定切替イベントが発生したと判定する。なお、日の入時刻や日の出時刻を特定する情報は、例えば予め日毎にデータ記録部１３に記録され、あるいはネットワーク（図示省略）を介して取得されるものとする。
【００４０】
図４に戻り、表示設定切替イベントが発生していない間は（ＳＡ１、Ｎｏ）、表示設定切替部１２ｃはＳＡ１の判定を繰り返す。一方、表示設定切替イベントが発生した場合（ＳＡ１、Ｙｅｓ）、切替表示条件判定部１２ａは切替表示条件が満たされているか否かを判定する（ＳＡ２）。すなわち切替表示条件判定部１２ａは、灯火制御部２、照度センサ４、及び内部時計から表示装置１に入力された情報を取得すると共に、図２に例示した切替表示条件テーブル１３ｂを参照し、判定対象の項目毎に切替表示条件が満たされているか否かを判定する。図２の例によれば、切替表示条件判定部１２ａは、判定対象の項目「ランプ」については、灯火制御部２から入力された情報に基づき、車両の補助ランプが点灯されていることを検出した場合に、切替表示条件が満たされていると判定する。また、判定対象の項目「照度」については、照度センサ４にて検出された照度が薄明時の照度範囲である１ｌｕｘ以上５ｌｕｘ未満の場合に、切替表示条件が満たされていると判定する。また、判定対象の項目「現在時刻」については、切替表示条件が満たされているか否かを当該切替表示条件判定部１２ａが判定する際の時刻が、日の出時刻の３０分前から３０分後の時間帯、又は日の入時刻の３０分前から３０分後の時間帯に含まれる場合に切替表示条件が満たされていると判定する。このように図２の例では、表示設定切替部１２ｃにより表示設定が「夜画面」に自動的に切り替えられる条件ではあるものの、まだ薄暗い程度の状態であり、「昼画面」の表示設定の方がユーザにとって見やすい可能性がある場合に、切替表示条件判定部１２ａは切替表示条件が満たされていると判定する。
【００４１】
図４に戻り、切替表示条件が満たされていない場合、すなわち図２に例示した切替表示条件テーブル１３ｂにおけるいずれの判定対象項目についても切替表示条件が満たされていない場合（ＳＡ２、Ｎｏ）、表示設定切替部１２ｃは表示設定を自動で切り替え、表示制御部１２ｂは当該切替後の表示設定に応じた表示をディスプレイ１０に行わせる（ＳＡ３）。具体的には、表示設定切替部１２ｃは、表示設定切替イベントが発生した判定対象項目について当該表示設定切替イベントの発生により遷移した後の状態を特定し、当該特定した遷移後の状態に対応する表示設定を、図３に例示した表示設定切替条件テーブル１３ｃを参照して特定する。そして、表示設定切替部１２ｃはディスプレイ１０の表示設定を当該特定した表示設定に自動で切り替え、表示制御部１２ｂは当該切替後の表示設定に応じた表示をディスプレイ１０に行わせる。
【００４２】
図３の例によれば、車両のヘッドランプ又は補助ランプの点灯状態が切り替えられた結果、遷移後のランプの点灯状態が「ヘッドランプＯＮ」又は「補助ランプＯＮ」となったことを灯火制御部２から入力された情報に基づき表示設定切替部１２ｃが特定した場合には、表示設定切替部１２ｃは表示設定を「夜画面」に切り替える。一方、車両のヘッドランプ又は補助ランプの点灯状態が切り替えられた結果、遷移後のランプの点灯状態が「ヘッドランプＯＦＦ且つ補助ランプＯＦＦ」となったことを灯火制御部２から入力された情報に基づき表示設定切替部１２ｃが特定した場合には、表示設定切替部１２ｃは表示設定を「昼画面」に切り替える。また、照度センサ４にて検出された照度が５ｌｕｘを跨いで変化した結果、遷移後の照度が「５ｌｕｘ未満」となったことを照度センサ４から入力された情報に基づき表示設定切替部１２ｃが特定した場合には、表示設定切替部１２ｃは表示設定を「夜画面」に切り替える。一方、照度センサ４にて検出された照度が５ｌｕｘを跨いで変化した結果、遷移後の照度が「５ｌｕｘ以上」となったことを照度センサ４から入力された情報に基づき表示設定切替部１２ｃが特定した場合には、表示設定切替部１２ｃは表示設定を「昼画面」に切り替える。また、内部時計から入力された情報に基づき特定した現在時刻が日の入時刻又は日の出時刻になった結果、遷移後の時刻が「日の入後」であることを内部時計から入力された情報に基づき表示設定切替部１２ｃが特定した場合には、表示設定切替部１２ｃは表示設定を「夜画面」に切り替える。一方、内部時計から入力された情報に基づき特定した現在時刻が日の入時刻又は日の出時刻になった結果、遷移後の時刻が「日の出後」であることを内部時計から入力された情報に基づき表示設定切替部１２ｃが特定した場合には、表示設定切替部１２ｃは表示設定を「昼画面」に切り替える。
【００４３】
図４に戻り、ＳＡ３の処理の後、表示設定切替部１２ｃはＳＡ１に戻り、表示設定切替イベントが発生したか否かを再度判定する（ＳＡ１）。
【００４４】
一方、ＳＡ２において切替表示条件が満たされている場合、すなわち図２に例示した切替表示条件テーブル１３ｂにおけるいずれかの判定対象項目について切替表示条件が満たされている場合（ＳＡ２、Ｙｅｓ）、表示制御部１２ｂは、ユーザによる表示設定の切替操作の受付後の表示設定が制御部１２のＲＡＭ（図示省略）に記憶済みか否かを判定する（ＳＡ４）。
【００４５】
その結果、ユーザによる表示設定の切替操作の受付後の表示設定が制御部１２のＲＡＭに記憶済みの場合（ＳＡ４、Ｙｅｓ）、表示制御部１２ｂは、当該記憶済みの表示設定に応じた表示をディスプレイ１０に行わせると共に、切替表示をディスプレイ１０に表示させる（ＳＡ５）。すなわち、ユーザによる表示設定の切替操作の受付後の表示設定として「夜画面」がＲＡＭに記憶済みの場合には当該「夜画面」の表示設定に応じた表示をディスプレイ１０に行わせ、ユーザによる表示設定の切替操作の受付後の表示設定として「昼画面」がＲＡＭに記憶済みの場合には当該「昼画面」の表示設定に応じた表示をディスプレイ１０に行わせる。ユーザによる表示設定の切替操作の受付後の表示設定をＲＡＭに記憶させる処理の詳細は後述する。
【００４６】
さらに、表示制御部１２ｂは、切替表示として、ディスプレイ１０に表示されている画面の捲れを表した画像を当該ディスプレイ１０に表示させると共に、当該画面の捲れにより現れる部分において現在の表示設定とは異なる表示設定に応じた表示を当該ディスプレイ１０に行わせる。
【００４７】
図５は「夜画面」の表示設定に応じた表示を行っているディスプレイ１０を例示した図、図６は図５に示したディスプレイ１０において切替表示が表示された状態を例示した図である。切替表示条件が満たされている場合、図６に例示したように、表示制御部１２ｂは画面の捲れを表した画像をディスプレイ１０に右下端に表示させる。さらに、この画面の捲れにより現れる部分（捲れた下の部分）には、現在の表示設定（図６では「夜画面」）とは異なる表示設定（図６では「昼画面」）に応じた表示をディスプレイ１０に行わせる。すなわち図６の例では、画面の捲れにより現れる部分は「夜画面」の表示設定で表示されている他の部分よりも輝度が高く、配色が明るい表示となっている。
【００４８】
図４に戻り、ユーザによる表示設定の切替操作の受付後の表示設定が制御部１２のＲＡＭに記憶済みではない場合（ＳＡ４、Ｎｏ）、表示設定切替部１２ｃは表示設定を自動で切り替え、表示制御部１２ｂは当該切替後の表示設定に応じた表示をディスプレイ１０に行わせると共に、切替表示をディスプレイ１０に表示させる（ＳＡ６）。
【００４９】
ＳＡ５又はＳＡ６の処理の後、表示制御部１２ｂは、ユーザによる表示設定の切替操作をタッチパネル１１が受け付けたか否かを判定する（ＳＡ７）。具体的には、表示制御部１２ｂは、ディスプレイ１０に表示されている切替表示に対応する位置において、タッチパネル１１が表示設定の切替操作を受け付けた場合に、ユーザによる表示設定の切替操作を受け付けたと判定する。例えば図６に示すように、ディスプレイ１０の右下端に切替表示として表示された画面の捲れを表した画像の位置でタッチパネル１１が押下され、さらに押下されている部分が画面の左上方向に移動した場合（タッチパネル１１に対して、ユーザが画面の捲れを表した画像の位置から画面左上の方向にフリック入力を行った場合）、表示制御部１２ｂはユーザによる表示設定の切替操作をタッチパネル１１が受け付けたと判定する。
【００５０】
図４に戻り、ユーザによる表示設定の切替操作をタッチパネル１１が受け付けていない場合（ＳＡ７、Ｎｏ）、表示設定切替部１２ｃは表示設定切替イベントが発生したか否かを判定する（ＳＡ８）。この判定の具体的な内容はＳＡ１の判定と同様であるので、説明を省略する。
【００５１】
その結果、表示設定切替イベントが発生した場合（ＳＡ８、Ｙｅｓ）、表示設定切替部１２ｃは、表示設定の自動切替が不要か否かを判定する（ＳＡ９）。具体的には、直近のＳＡ７の判定においてユーザによる表示設定の切替操作をタッチパネル１１が受け付けていないと表示設定切替部１２ｃが判定した（ＳＡ７、Ｎｏ）時点での表示設定と、表示設定切替イベントの発生により遷移した後の状態に対応する表示設定とが同じ場合に、表示設定切替部１２ｃは表示設定の自動切替が不要と判定する。
【００５２】
その結果、表示設定の自動切替が不要である場合（ＳＡ９、Ｙｅｓ）、表示制御部１２ｂはディスプレイ１０に表示させていた切替表示を消去させる（ＳＡ１０）。その後、制御部は表示制御処理を終了する。
【００５３】
一方、表示設定の自動切替が不要ではない（必要である）場合（ＳＡ９、Ｎｏ）、表示設定切替部１２ｃは表示設定を自動で切り替え、表示制御部１２ｂは当該切替後の表示設定に応じた表示をディスプレイ１０に行わせると共に、ディスプレイ１０に表示させていた切替表示を消去させる（ＳＡ１１）。その後、制御部は表示制御処理を終了する。
【００５４】
また、ＳＡ８において表示設定切替イベントが発生していない場合（ＳＡ８、Ｎｏ）、ＳＡ７に戻り、表示制御部１２ｂは、ユーザによる表示設定の切替操作をタッチパネル１１が受け付けたか否かを判定する（ＳＡ７）。このようにＳＡ７とＳＡ８の処理を繰り返している間、表示制御部１２ｂは、画面の捲れを表した画像の形状を、照度センサ４にて検出されたディスプレイ１０の近傍の照度、又は内部時計から入力された情報に基づく現在時刻に応じて変化させるようにしてもよい。図７は、図６においてディスプレイ１０に表示された画面の捲れを表した画像の形状を変化させた状態を例示した図である。例えば、図６に示すように「夜画面」の表示設定に応じた表示を行っているディスプレイ１０に画面の捲れを表した画像が表示された状態において、照度センサ４にて検出されたディスプレイ１０の近傍の照度が徐々に上昇している場合（例えば明け方の時間帯において太陽の高度が徐々に高くなり環境光の明るさが上昇している場合）、表示設定を「昼画面」に切り替える必要性が高くなっていると考えられることから、当該照度の上昇に伴い、図７に示すように画面の捲れが一層大きくなったことを表すように画像の形状を変化させる。一方、「夜画面」の表示設定に応じた表示を行っているディスプレイ１０に画面の捲れを表した画像が表示された状態において、照度センサ４にて検出されたディスプレイ１０の近傍の照度が徐々に低下している場合（例えば夕方の時間帯において太陽の高度が徐々に低くなり環境光の明るさが低下している場合）、表示設定を「昼画面」に切り替える必要性が低くなっていると考えられることから、当該照度の低下に伴い、画面の捲れが一層小さくなったことを表すように画像の形状を変化させる。これにより、表示設定を切替可能であることがユーザにとって一層直感的に把握可能な態様で、切替表示をディスプレイ１０に表示させることができる。
【００５５】
図４に戻り、ユーザによる表示設定の切替操作をタッチパネル１１が受け付けた場合（ＳＡ７、Ｙｅｓ）、表示制御部１２ｂは当該切替操作に応じて表示設定を切り替え、当該切替後の表示設定に応じた表示をディスプレイ１０に行わせると共に、切替表示をディスプレイ１０に表示させる（ＳＡ１２）。具体的には、表示制御部１２ｂは、ユーザによる表示設定の切替操作をタッチパネル１１が受け付けた場合、当該切替操作を受け付ける前の表示設定とは異なる表示設定にディスプレイ１０の表示設定を切り替え、当該切替後の表示設定に応じた表示をディスプレイ１０に行わせると共に、切替表示をディスプレイ１０に表示させる。図８は、図６に示したディスプレイ１０において表示設定の切替操作をタッチパネル１１が受け付けた後のディスプレイ１０を例示した図である。図６に示すように「夜画面」の表示設定に応じた表示を行っているディスプレイ１０において表示設定の切替操作をタッチパネル１１が受け付けた場合、表示制御部１２ｂは表示設定を「昼画面」に切り替え、図８に示すように当該「昼画面」の表示設定に応じた表示をディスプレイ１０に行わせる。
【００５６】
図４に戻り、ＳＡ１２の処理の後、表示制御部１２ｂは、ユーザによる表示設定の切替後の表示設定をＲＡＭに記憶させる（ＳＡ１３）。すなわち表示制御部１２ｂは、表示設定の切替操作をタッチパネル１１が受け付けたことにより表示設定を「昼画面」に切り替えた場合には、当該「昼画面」の表示設定をＲＡＭに記憶させる。なお、記憶された表示設定は、その後のＳＡ２の判定において切替表示条件を満していないと切替表示条件判定部１２ａにより判定されたときにＲＡＭから消去される。一方表示制御部１２ｂは、表示設定の切替操作をタッチパネル１１が受け付けたことにより表示設定を「夜画面」に切り替えた場合には、当該「夜画面」の表示設定をＲＡＭに記憶させる。
【００５７】
ＳＡ１３の処理の後、表示制御部１２ｂはＳＡ７に戻り、ユーザによる表示設定の切替操作をタッチパネル１１が受け付けたか否かを再度判定する（ＳＡ７）。
【００５８】
（効果）
このように本実施の形態によれば、ユーザによる表示設定の切替が可能であることを示す切替表示をディスプレイ１０に表示させるための切替表示条件が満たされていると切替表示条件判定部１２ａにより判定された場合、表示制御部１２ｂはユーザによる表示設定の切替が可能であることを示す切替表示を当該ディスプレイ１０に表示させるので、ディスプレイ１０によって表示されている表示設定がユーザの希望ではないときに、表示設定が切替可能であることをユーザに容易に通知することができる。例えばスモールランプを点灯したために表示設定が「夜画面」となっているものの、周囲がまだ明るく、「昼画面」の表示設定の方がユーザにとって見やすいと考えられる場合等に、当該ユーザにとって見やすい画面となるように表示設定を切替可能であることをユーザに通知することができる。
【００５９】
また、切替表示条件判定部１２ａは、表示設定切替部１２ｃにより表示設定が切り替えられたときに、切替表示条件が満たされているか否かを判定するので、表示設定切替部１２ｃにより自動で切り替えられた表示設定がユーザにとって見にくい可能性があり、ユーザによる表示設定の切替が可能であることを示す切替表示をディスプレイ１０に表示させる必要があるか否かを、表示設定が表示設定切替部１２ｃにより切り替えられたタイミングで即座に判定することができる。
【００６０】
また、切替表示条件判定部１２ａは、表示装置１が搭載されている車両の補助ランプが点灯されている場合、ディスプレイ１０の近傍の照度が所定範囲である場合、又は、現在時刻が所定の時間帯に含まれる場合に、切替表示条件が満たされていると判定するので、表示設定切替部１２ｃにより表示設定が「夜画面」に自動的に切り替えられる条件ではあるものの、まだ薄暗い程度の状態であり、「昼画面」の表示設定の方がユーザにとって見やすい可能性がある場合に、当該ユーザにとって見やすい画面となるように表示設定を切替可能であることをユーザに通知することができる。
【００６１】
また、表示制御部１２ｂは、切替表示条件判定部１２ａにより切替表示条件が満たされていると判定された場合、切替表示として、ディスプレイ１０に表示されている画面の捲れを表した画像を当該ディスプレイ１０に表示させると共に、当該画面の捲れにより現れる部分において現在の表示設定とは異なる表示設定に応じた表示を当該ディスプレイ１０に行わせるので、表示設定を切替可能であることがユーザにとって直感的に把握可能な態様で、切替表示をディスプレイ１０に表示させることができる。
【００６２】
また、表示制御部１２ｂは、画面の捲れを表した画像の形状を、ディスプレイ１０の近傍の照度、又は時刻に応じて変化させるので、表示設定を切替可能であることがユーザにとって一層直感的に把握可能な態様で、切替表示をディスプレイ１０に表示させることができる。
【００６３】
また、表示制御部１２ｂは、切替表示に対応する位置においてタッチパネル１１が表示設定の切替操作を受け付けた場合、ディスプレイ１０の表示設定を切り替えるので、ユーザにとって直感的な操作を切替操作として受け付け、当該操作に基づいて表示設定を切り替えることができる。
【００６４】
また、表示制御部１２ｂは、ユーザによる表示設定の切替が行われた場合、当該切替操作の受付後の表示設定を記憶し、その後切替表示条件判定部１２ａにより切替表示条件が満たされていると判定された場合、当該記憶した表示設定に応じた表示をディスプレイ１０に行わせるので、表示設定の選択に関するユーザの傾向を学習し、ユーザに適した表示設定でディスプレイ１０の表示を行わせることができ、ユーザにとって一層操作負担の少ない表示装置１を提供することができる。
【００６５】
〔各実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００６６】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００６７】
（タッチパネルについて）
上述の実施の形態では、ユーザによる表示設定の切替操作をタッチパネル１１が受け付ける場合を例として説明したが、これに代えて、あるいはこれと共に、他の操作手段によってユーザによる表示設定の切替操作を受け付けるようにしてもよい。例えば、リモコンや操作レバー等の操作手段を介した操作入力に応じて表示位置が変化するカーソルをディスプレイ１０に表示させることとし、ディスプレイ１０に切替表示が表示されている領域にカーソルが位置している状態でリモコンや操作レバーのスイッチが押下される等の操作入力が行われた場合に、当該操作をユーザによる表示設定の切替操作として表示装置１が受け付けることとしてもよい。
【００６８】
（表示制御処理について）
上述の実施の形態では、図４のＳＡ１の判定において、表示設定切替部１２ｃは、図３に例示した表示設定切替条件テーブル１３ｃにおけるいずれかの判定対象項目について表示設定を自動で切り替えるトリガとなるイベントが発生した場合に、表示設定切替イベントが発生したと判定すると説明したが、全ての判定対象項目についてイベントが発生した場合や、特定の判定対象項目についてのみイベントが発生した場合、あるいは任意の組み合わせの判定対象項目についてイベントが発生した場合に、表示設定切替イベントが発生したと判定するようにしてもよい。
【００６９】
上述の実施の形態では、図４のＳＡ２の判定において、図２に例示した切替表示条件テーブル１３ｂにおけるいずれかの判定対象項目について切替表示条件が満たされている場合に、表示制御部１２ｂは、切替表示をディスプレイ１０に表示させると説明したが、全ての判定対象項目について切替表示条件が満たされている場合や、特定の判定対象項目について切替表示条件が満たされている場合、あるいは任意の組み合わせの判定対象項目について切替表示条件が満たされている場合に、表示制御部１２ｂが切替表示をディスプレイ１０に表示させるようにしてもよい。
【００７０】
また、図４のＳＡ２の判定において、ＳＡ１の判定で表示設定切替部１２ｃが判定に用いた判定対象項目と同じ判定対象項目を用いて切替表示条件判定部１２ａが判定を行ってもよく、あるいは、ＳＡ１の判定で表示設定切替部１２ｃが判定に用いた判定対象項目とは異なる判定対象項目を用いて切替表示条件判定部１２ａが判定を行ってもよい。例えばＳＡ１の判定で、判定対象項目「現在時刻」について、現在時刻が日の入時刻になったことから表示設定切替イベントが発生したと表示設定切替部１２ｃが判定した場合（ＳＡ１、Ｙｅｓ）、切替表示条件判定部１２ａが、判定対象の項目「ランプ」について切替表示条件が満たされているか否かをＳＡ２で判定するようにしてもよい。
【００７１】
また、上述の実施の形態では、切替表示として、ディスプレイ１０に表示されている画面の捲れを表した画像を当該ディスプレイ１０に表示させると共に、当該画面の捲れにより現れる部分において現在の表示設定とは異なる表示設定に応じた表示を当該ディスプレイ１０に行わせると説明したが、他の表示を切替表示としてディスプレイ１０に表示させてもよい。例えば、ディスプレイ１０の表示設定の切替操作を受け付ける切替ボタンを切替表示としてディスプレイ１０に表示させてもよい。
【符号の説明】
【００７２】
１  表示装置
２  灯火制御部
３  現在位置検出処理部
４  照度センサ
１０  ディスプレイ
１１  タッチパネル
１２  制御部
１２ａ  切替表示条件判定部
１２ｂ  表示制御部
１２ｃ  表示設定切替部
１３  データ記録部
１３ａ  地図情報ＤＢ
１３ｂ  切替表示条件テーブル
１３ｃ  表示設定切替条件テーブル
【図１】
2012073359.tif 000003
【図２】
2012073359.tif 000004
【図３】
2012073359.tif 000005
【図４】
2012073359.tif 000006
【図５】
2012073359.tif 000007
【図６】
2012073359.tif 000008
【図７】
2012073359.tif 000009
【図８】
2012073359.tif 000010